【手続補正書】
【提出日】平成20年6月23日(2008.6.23)
【手続補正１】
【補正対象書類名】明細書
【補正対象項目名】特許請求の範囲
【補正方法】変更
【補正の内容】
【特許請求の範囲】
【請求項１】
エピクロロヒドリンと、式（ＩＩ）の化合物
Ｒ3（ＥＯ）ｎ（ＰＯ）ｍＯＨ      （ＩＩ）
［Ｒ3は炭素原子数４〜２２のアルキル、アルケニルまたはアレニル基、炭素原子数４〜２２の置換アルキルまたはアルケニル基、ｎは０〜５０の数およびｍは０〜５０の数、エピクロロヒドリン／式（ＩＩ）の化合物のモル比は０．６０／１〜２／１である。］
とを反応させる工程を含む方法により得られる生成物を含有する組成物の有効量を、水系に添加する工程を含む水系中の発泡を減少または防ぐ方法。
【請求項２】
（ａ）エピクロロヒドリンと、式（ＩＩ）の化合物
Ｒ3（ＥＯ）ｎ（ＰＯ）ｍＯＨ      （ＩＩ）
［Ｒ3は炭素原子数４〜２２のアルキル、アルケニルまたはアレニル基、炭素原子数４〜２２の置換アルキルまたはアルケニル基、ｎは０〜５０の数およびｍは０〜５０の数、エピクロロヒドリン／式（ＩＩ）の化合物のモル比は０．６０／１〜２／１である］
とを反応させる工程を含む方法により得られる生成物、及び
（ｂ）成分（ａ）を溶解または分散することができる、水に難溶な液体キャリア
を含有する組成物の有効量を、水系に添加する工程を含む水系中の発泡を減少または防ぐ方法。
【請求項３】
（ａ）エピクロロヒドリンと、式（ＩＩ）の化合物
Ｒ3（ＥＯ）ｎ（ＰＯ）ｍＯＨ      （ＩＩ）
［Ｒ3は炭素原子数４〜２２のアルキル、アルケニルまたはアレニル基、炭素原子数４〜２２の置換アルキルまたはアルケニル基、ｎは０〜５０の数およびｍは０〜５０の数、エピクロロヒドリン／式（ＩＩ）の化合物のモル比は０．６０／１〜２／１である］
とを反応させる工程を含む方法により得られる生成物；
（ｂ）疎水性固形物；及び
（ｃ）成分（ａ）を溶解または分散することができる、水に難溶な液体キャリア
を含有する組成物の有効量を、水系に添加する工程を含む水系中の発泡を減少または防ぐ方法。
【請求項４】
Ｒ3は炭素原子数４〜１２のアルキル基である請求項１〜３のいずれか１つに記載の方法。
【請求項５】
ｎは約２〜約５０の数である請求項１〜４のいずれか１つに記載の方法。
【請求項６】
前記エピクロロヒドリン／化合物（ＩＩ）のモル比は、０．８０／１〜２／１である請求項１〜５のいずれか１つに記載の方法。
【請求項７】
前記水系はラテックス塗料である請求項１〜６のいずれか１つに記載の方法。
【請求項８】
式（ＩＩ）の化合物がＣ10Ｈ21Ｏ（ＥＯ）8ＯＨであり、かつ、前記エピクロロヒドリン／式（ＩＩ）の化合物のモル比は１．１／１．０である請求項１〜７のいずれか１つに記載の方法。
【請求項９】
前記水に難溶な液体キャリアは、パラフィン油、ナフテン油、液体炭化水素類、トール油脂肪酸類ならびにエトキシル化トール油脂肪酸類、脂肪族アルコール類ならびにエトキシル化脂肪族アルコール類、液体ポリプロピレンオキシド、液体ポリエチレンオキシド、液体ポリ（エチレンオキシド−プロピレンオキシド）およびそれらの組み合わせからなる群から選択される請求項２〜８のいずれか１つに記載の方法。
【請求項１０】
前記水に難溶な液体キャリアはパラフィン油である請求項２〜９のいずれか１つに記載の方法。
【請求項１１】
前記疎水性固形物は、ポリエチレンワックス、エチレンビス−ステアラミドおよびそれらの組み合わせからなる群から選択される請求項３〜１０に記載の方法。
【請求項１２】
前記疎水性固形物はポリエチレンワックスである請求項１１に記載の方法。
【請求項１３】
（ａ）エピクロロヒドリンと、式（ＩＩ）の化合物
Ｒ3（ＥＯ）ｎ（ＰＯ）ｍＯＨ      （ＩＩ）
［Ｒ3は炭素原子数４〜２２のアルキル、アルケニルまたはアレニル基、炭素原子数４〜２２の置換アルキルまたはアルケニル基、ｎは０〜５０の数およびｍは０〜５０の数、エピクロロヒドリン／式（ＩＩ）の化合物のモル比は０．６０／１〜２／１である］
とを反応させる工程を含む方法により得られる生成物及び
（ｂ）成分（ａ）を溶解または分散することができる、水に難溶な液体キャリアを含む組成物。
【請求項１４】
（ａ）エピクロロヒドリンと、式（ＩＩ）の化合物
Ｒ3（ＥＯ）ｎ（ＰＯ）ｍＯＨ      （ＩＩ）
［Ｒ3は炭素原子数４〜２２のアルキル、アルケニルまたはアレニル基、炭素原子数４〜２２の置換アルキルまたはアルケニル基、ｎは０〜５０の数およびｍは０〜５０の数、エピクロロヒドリン／式（ＩＩ）の化合物のモル比は０．６０／１〜２／１である］
を反応させる工程を含む方法により得られる生成物と、
（ｂ）疎水性固形物と、
（ｃ）成分（ａ）を溶解または分散することができる水に難溶な液体キャリアとを含む組成物。
【請求項１５】
Ｒ3は炭素原子数４〜１２のアルキル基である請求項１３又は１４に記載の組成物。
【請求項１６】
ｎは約２〜約５０の数である請求項１３〜１５のいずれか１つに記載の組成物。
【請求項１７】
前記エピクロロヒドリン／式（ＩＩ）の化合物のモル比は０．８０／１〜２／１である請求項１３〜１６のいずれか１つに記載の組成物。
【請求項１８】
前記水系はラテックス塗料である請求項１３〜１７のいずれか１つに記載の組成物。
【請求項１９】
前記式（ＩＩ）の化合物がＣ10Ｈ21Ｏ（ＥＯ）8ＯＨであり、かつ、前記エピクロロヒドリン／式（ＩＩ）の化合物のモル比は１．１／１．０である請求項１３〜１８のいずれか１つに記載の組成物。
【請求項２０】
前記水に難溶な液体キャリアは、パラフィン油、ナフテン油、液体炭化水素類、トール油脂肪酸類ならびにエトキシル化トール油脂肪酸類、脂肪族アルコール類ならびにエトキシル化脂肪族アルコール類、液体ポリプロピレンオキシド、液体ポリエチレンオキシド、液体ポリ（エチレンオキシド−プロピレンオキシド）、およびそれらの組み合わせからなる群から選択される請求項１３〜１９のいずれか１つに記載の組成物。
【請求項２１】
前記水に難溶な液体キャリアはパラフィン油である請求項２０に記載の組成物。
【請求項２２】
前記疎水性固形物は、ポリエチレンワックス、エチレンビス−ステアラミドおよびそれらの組み合わせからなる群から選択される請求項１４〜２１のいずれか１つに記載の組成物。
【請求項２３】
前記疎水性固形物はポリエチレンワックスである請求項２２に記載の組成物。
【請求項２４】
エピクロロヒドリンと、式（ＩＩ）の化合物
Ｒ3（ＥＯ）ｎ（ＰＯ）ｍＯＨ      （ＩＩ）
［Ｒ3は炭素原子数４〜２２のアルキル、アルケニルまたはアレニル基、炭素原子数４〜２２の置換アルキルまたはアルケニル基、ｎは０〜５０の数およびｍは０〜５０の数、エピクロロヒドリン／式（ＩＩ）の化合物は０．６０／１〜２／１である］
とを反応させる工程を含む方法により得られる生成物と、
疎水性固形物と、
前記生成物を溶解または分散することができる水に難溶な液体キャリアを２つに分液した内の第１の部分とを、
前記疎水性固形物を融解させるのに十分な温度で混合する工程（１）と、
工程（１）の混合物を、前記水に難溶な液体キャリアを２つに分液した内の第２の部分に添加する工程（２）とを含む消泡剤の製造方法。
【請求項２５】
Ｒ3は炭素原子数４〜１２のアルキル基である請求項２４に記載の製造方法。
【請求項２６】
ｎは約２〜約５０の数である請求項２４又は２５に記載の製造方法。
【請求項２７】
前記エピクロロヒドリン／式（ＩＩ）の化合物のモル比は０．８０／１〜２／１である請求項２４〜２６のいずれか１つに記載の製造方法。
【請求項２８】
前記水系はラテックス塗料である請求項２４〜２７のいずれか１つに記載の製造方法。
【請求項２９】
前記式（ＩＩ）の化合物がＣ10Ｈ21Ｏ（ＥＯ）8ＯＨであり、かつ、前記エピクロロヒドリン／式（ＩＩ）の化合物のモル比は１．１／１．０である請求項２４〜２８のいずれか１つに記載の製造方法。
【請求項３０】
前記水に難溶な液体キャリアは、パラフィン油、ナフテン油、液体炭化水素類、トール油脂肪酸類ならびにエトキシル化トール油脂肪酸類、脂肪族アルコール類ならびにエトキシル化脂肪族アルコール類、液体ポリプロピレンオキシド、液体ポリエチレンオキシド、液体ポリ（エチレンオキシド−プロピレンオキシド）、およびそれらの組み合わせからなる群から選択される請求項２４〜２９のいずれか１つに記載の製造方法。
【請求項３１】
前記水に難溶な液体キャリアはパラフィン油である請求項３０に記載の製造方法。
【請求項３２】
前記疎水性固形物は、ポリエチレンワックス、エチレンビス−ステアラミドおよびそれらの組み合わせからなる群から選択される請求項２４〜３１のいずれか１つに記載の製造方法。
【請求項３３】
前記疎水性固形物はポリエチレンワックスである請求項３２に記載の製造方法。